(57)【要約】【課題】ＩＥＥＥ１３９４インターフェースを搭載したデータ処理装置において、電源制御回路を簡素化してコストダウンを図るとともに、スタンバイ状態の消費電力を削減する。【解決手段】データ処理装置１００の電源制御をサブマイコン１２６で集中して行なうことにより、電源制御回路の簡素化とスタンバイ状態における消費電力の削減を実現する。具体的には、サブマイコン１２６は、ＰＨＹチップ１１３から出力されるリンクオン信号ならびに、電源ボタン１２１およびリモコン受光部１２２から出力される電源制御信号を解析して、ＣＰＵ１０１やＬＩＮＫチップ１１２に電力を供給するシステム電源１３１のオン／オフを制御する。【選択図】図１
2008042428.tif 000002
【特許請求の範囲】
【請求項１】
ＩＥＥＥ１３９４で規定されるトランザクション層およびシリアルバスマネジメントの機能を実行する第１の制御手段と、
ＩＥＥＥ１３９４で規定されるデータリンク層の機能を実行する第１のチップと、
ＩＥＥＥ１３９４で規定される電気的インターフェースの機能を実行する第２のチップと、
ユーザーの指示に従って電源制御信号を出力するユーザーインターフェースと、
前記第１の制御手段および前記第１のチップに電力を供給する第１の電源と、
前記第２のチップおよび前記ユーザーインターフェースに電力を供給する第２の電源と、
前記第２のチップから出力されるリンクオン信号および前記ユーザーインターフェースから出力される電源制御信号を解析して前記第１の電源のオン／オフを制御する第２の制御手段とを備えたデータ処理装置。
【請求項２】
前記第２の制御手段をマイコンで構成した請求項１に記載のデータ処理装置。
【請求項３】
前記第１の制御手段をＣＰＵと制御プログラムを搭載したＲＯＭで構成した請求項１または２に記載のデータ処理装置。
【請求項４】
前記ユーザーインターフェースは電源ボタンまたはリモコン受光部である請求項１〜３のいずれかに記載のデータ処理装置。
【発明の詳細な説明】
【技術分野】
【０００１】
本発明は、ＩＥＥＥ１３９４で規定されるシリアルバスインターフェースを用いたデータ伝送機能を有するデータ処理装置に関し、更に詳しくは、その装置の電源制御に関するものである。
【背景技術】
【０００２】
ＩＥＥＥ１３９４で規定されるシリアルバスインターフェース（以下、１３９４インターフェースという）はパソコンやデジタルＡＶ機器などのデータ処理装置に搭載され、それらの装置がバス接続されて構成されるネットワーク（以下、１３９４ネットワークという）において高速データ伝送を実現することができる。
【０００３】
このデータ処理装置の１３９４インターフェースはハードウェアとソフトウェアで構成され、一般的に物理層とリンク層をハードウェアで実現し、トランザクション層とシリアルバスマネジメントをソフトウェアで実現している。
【０００４】
また１３９４ネットワークの接続方式は、ディージーチェーン方式とノード分岐方式とに対応しており、自由度の高い接続を可能としている。その反面、データ処理装置は１３９４ネットワークの一部であり、１３９４インターフェースに接続されている装置間のデータ転送（以下、リピートという）を妨げてはならないため、電源制御には注意が必要である。
【０００５】
このため、データ処理装置を最低限必要な機能のみを動作させておく状態（以下、スタンバイ状態という）にする場合においても、リピートを妨げないように、いかなる時も物理層に電力を供給し続け、動作させるように設定されている（特許文献１、２参照）。
【０００６】
以下、１３９４インターフェースを搭載した従来のデータ処理装置の電源制御について、図面を参照して説明する。
【０００７】
図２は、従来のデータ処理装置１００の構成を示すブロック図である。図において、ＩＥＥＥ１３９４ＰＨＹ+ＬＩＮＫチップ（以下、ＰＨＹ+ＬＩＮＫチップと略す）１１１は、ＩＥＥＥ１３９４で規定される機能のうち物理層の電気的インターフェースとデータリンク層を受け持つチップで、１３９４インターフェースを搭載した外部装置Ａ２００や外部装置Ｂ３００との間でケーブル１１４を介してシリアルデータの転送を行なっている。
【０００８】
一方、ＩＥＥＥ１３９４で規定される機能のうちトランザクション層とシリアルバスマネジメントは、ＣＰＵ１０１がＲＯＭ１０２に格納された制御プログラムを読み出してソフトウェア的な処理を行なうことにより実現している。
【０００９】
上記従来のデータ処理装置において、図中破線で示すように、ＣＰＵ１０１、ＲＯＭ１０２、ＲＡＭ１０３への電力供給はシステム電源１３１が行い、ＰＨＹ+ＬＩＮＫチップ１１１、電源ボタン１２１、リモコン受光部１２２への電力供給はスタンバイ電源１３２が行なっている。すなわち、従来のデータ処理装置では、スタンバイ電源１３２からＰＨＹ+ＬＩＮＫチップ１１１へ常時電力を供給することにより、リピートを妨げないようにしており、その一方で、スタンバイ状態においてはシステム電源１３１をオフとすることにより、消費電力の削減を図っている。
【００１０】
このため、スタンバイ状態にある装置を直接操作しなくても、ケーブル１１４に接続された外部装置からのＩＥＥＥ１３９４で規定されるリンクオンパケットをＰＨＹ+ＬＩＮＫチップ１１１で認識し、ＣＰＵ１０１に電力供給を行なえば、ユーザーに負担をかけることなく、装置をスタンバイ状態からオン状態にすることができる。
【特許文献１】特開２００１−１６２２１号公報
【特許文献２】特開２００３−４４１８４号公報
【発明の開示】
【発明が解決しようとする課題】
【００１１】
上記従来のデータ処理装置において、システム電源１３１のオン／オフ制御は以下のようにして行われる。すなわち、電源ボタン１２１が押されたことを検知回路１２３で検知した場合および、リモコン４００からリモコン受光部１２２に送信されたリモコン信号を信号解析回路Ａ１２４で分析し、電源制御関連の指示信号を抽出した場合、もしくは、外部装置Ａ２００や外部装置Ｂ３００からＰＨＹ+ＬＩＮＫチップ１１１に送信されたリンクオンパケットからリンクオン信号を抽出して信号解析回路Ｂ１２５で解析し、装置をオン状態にする必要がある場合には、それぞれの回路から電源制御信号をシステム電源１３１に出力してシステム電源１３１をオンにし、それ以外の場合はシステム電源１３１をオフにしてスタンバイ状態としていた。
【００１２】
しかしながら、このような従来のデータ処理装置の電源制御では、１３９４インターフェースからのリンクオン信号を解析する信号解析回路Ｂ１２５以外に、電源ボタンの検知回路１２３やリモコン信号の信号解析回路Ａ１２４が必要となる。すなわち、複数の電源制御要求に対する制御回路が必要であるため、装置の構成が複雑になり、コストアップの原因になるとともに、スタンバイ状態の消費電力が大きくなってしまうという課題があった。
【００１３】
本発明はこのような従来の課題を解決し、電源制御回路を簡素化するとともに、スタンバイ状態の消費電力を削減することができるデータ処理装置を提供するものである。
【課題を解決するための手段】
【００１４】
上記課題を解決するために、本発明のデータ処理装置は、
ＩＥＥＥ１３９４で規定されるトランザクション層およびシリアルバスマネジメントの機能を実行する第１の制御手段と、
ＩＥＥＥ１３９４で規定されるデータリンク層の機能を実行する第１のチップと、
ＩＥＥＥ１３９４で規定される電気的インターフェースの機能を実行する第２のチップと、
ユーザーの指示に従って電源制御信号を出力するユーザーインターフェースと、
前記第１の制御手段および前記第１のチップに電力を供給する第１の電源と、
前記第２のチップおよび前記ユーザーインターフェースに電力を供給する第２の電源と、
前記第２のチップから出力されるリンクオン信号および前記ユーザーインターフェースから出力される電源制御信号を解析して前記第１の電源のオン／オフを制御する第２の制御手段とを備えたものである。
【００１５】
本発明のデータ処理装置において、前記第２の制御手段をマイコンで構成することが好ましい。同様に、前記第１の制御手段をＣＰＵと制御プログラムを搭載したＲＯＭで構成することが好ましい。
【００１６】
また本発明のデータ処理装置において、前記ユーザーインターフェースは電源ボタンまたはリモコン受光部であってもよい。
【発明の効果】
【００１７】
本発明のデータ処理装置によれば、電源制御回路を簡素化することによってコストダウンを図ることが可能になるとともに、スタンバイ状態での消費電力を削減することができる。
【発明を実施するための最良の形態】
【００１８】
以下、本発明の実施の形態について、図面を参照しながら説明する。
【００１９】
図１は、本発明の実施の形態におけるデータ処理装置のブロック図である。なお、図中、図２と同一機能を有するブロックには同一の符号を付している。
【００２０】
図１において、データ処理装置１００のブロックは、図中に破線で示すように、システム電源１３１から電力の供給を受けるＣＰＵ１０１、ＲＯＭ１０２、ＲＡＭ１０３およびＩＥＥＥ１３９４ＬＩＮＫチップ１１２と、スタンバイ電源１３２から電力の供給を受けるＩＥＥＥ１３９４ＰＨＹチップ１１３、電源ボタン１２１、リモコン受光部１２２およびサブマイコン１２６に大きく分割されている。
【００２１】
以下、各ブロックの機能について説明する。ＣＰＵ（Central Processing Unit）１０１は装置のシステム制御を行い、前述したように１３９４インターフェースのうちトランザクション層とシリアルバスマネジメントについて、ＲＯＭ（Read Only Memory）１０２に格納された制御プログラムを読み出してソフトウェア的に処理する。なお、ＲＡＭ（Random Access Memory）１０３は制御用のワークエリアに用いたり、データの一時保持に使用したりする。また内部バス１０４は、各ブロック間でのデータパケットや制御信号の転送に用いられる。
【００２２】
ＩＥＥＥ１３９４ＬＩＮＫチップ（以下、ＬＩＮＫチップと略す）１１２は、１３９４インターフェースのうちデータリンク層を受け持つ部分で、送信するデータパケットのＩＥＥＥ１３９４ＰＨＹチップ（以下、ＰＨＹチップと略す）１１３への送出、ＰＨＹチップ１１３が受信したデータパケットのトランザクション／アプリケーション層への送出等を管理する。
【００２３】
一方、ＰＨＹチップ１１３は、１３９４インターフェースのうち物理層のインターフェースを受け持つ部分で、ＬＩＮＫチップ１１２からのパラレルデータをシリアルデータに変換してＩＥＥＥ１３９４規格の電気信号を発生し、ケーブル１１４を介して１３９４インターフェースを搭載した外部装置Ａ２００、外部装置Ｂ３００に出力する。また逆に、外部装置から受信したＩＥＥＥ１３９４規格信号をシリアルデータに戻し、パラレルデータとしてＬＩＮＫチップ１１２に受け渡す。
【００２４】
なお、電源ボタン１２１と、リモコン４００からのリモコン信号を受けるリモコン受光部１２２は、装置の電源制御要求を行なうユーザーインターフェースである。
【００２５】
本実施の形態では、省電力化を図るために、データリンク層を受け持つＬＩＮＫチップ１１２と物理層を受け持つＰＨＹチップ１１３を分離し、スタンバイ状態ではＰＨＹチップ１１３のみに電力供給する電源制御を行っている。ＰＨＹチップ１１３は、外部装置Ａ２００や外部装置Ｂ３００との間のリピートを妨げないよう、スタンバイ電源１３２から常時電力が供給されている。
【００２６】
スタンバイ電源１３２は、装置の必要最小限の機能（電源制御機能）を動作させるために用いられ、電源ボタン１２１と、リモコン４００からのリモコン信号を受けるリモコン受光部１２２、ＰＨＹチップ１１３および、システム電源１３１の電源制御を行なうサブマイコン１２６に常時電力を供給する。
【００２７】
一方、システム電源１３１は、データ処理装置１００がオン状態の時のみ、ＣＰＵ１０１、ＲＯＭ１０２、ＲＡＭ１０３およびＬＩＮＫチップ１１２に電力供給を行なう。
【００２８】
次に、電源制御用サブマイコン１２６の動作について説明する。サブマイコン１２６は電源ボタン１２１から信号が入力された時、またはリモコン受光部１２２でリモコン４００から電源制御に関する信号を受信した時、更にＰＨＹチップ１１３からのリンクオン信号を受信した時にこれらの信号を解析し、電源制御要求に応じてシステム電源１３１の電力供給をオン／オフさせ、装置のオン状態、スタンバイ状態を切り換える。
【００２９】
上述したように本実施の形態では、電源制御要求を電源制御用サブマイコン１２６でまとめて検知して解析し、システム電源１３１のオン／オフ制御を行なっている。かかる構成によれば、サブマイコン１２６だけで電源制御要求を処理できることから、電源制御回路を簡素化できるとともに、スタンバイ状態での消費電力を削減することができる。
【００３０】
なお、本実施の形態において、ＣＰＵ１０１およびＲＯＭ１０２は本発明の第１の制御手段を構成し、またＬＩＮＫチップ１１２は本発明の第１のチップを、ＰＨＹチップ１１３は本発明の第２のチップを構成する。同様に、システム電源１３１は本発明の第１の電源を、またスタンバイ電源１３２は本発明の第２の電源を構成する。
【産業上の利用可能性】
【００３１】
本発明にかかるデータ処理装置は、電源制御回路の簡素化およびスタンバイ状態での消費電力の削減が可能になるので、１３９４インターフェースを用いたデータ伝送機能を有する各種のデータ処理装置に用いて有用である。
【図面の簡単な説明】
【００３２】
【図１】本発明の実施の形態におけるデータ処理装置のブロック図
【図２】従来のデータ処理装置のブロック図
【符号の説明】
【００３３】
１００  データ処理装置
１０１  ＣＰＵ
１０２  ＲＯＭ
１０３  ＲＡＭ
１０４  内部バス
１１２  ＬＩＮＫチップ
１１３  ＰＨＹチップ
１１４  ケーブル
１２１  電源ボタン
１２２  リモコン受光部
１２６  サブマイコン
１３１  システム電源
１３２  スタンバイ電源
２００  外部装置Ａ
３００  外部装置Ｂ
４００  リモコン
【図１】
2008042428.tif 000003
【図２】
2008042428.tif 000004